(57)【特許請求の範囲】
【請求項１】
ＢＦＰタービンと、
復水器と、
前記ＢＦＰタービンを回転させるのに使用された蒸気を、前記ＢＦＰタービンから前記復水器に導く第１の配管と、
前記第１の配管に設置された第１の弁と、
前記ＢＦＰタービンのグランドシール部にグランドシール蒸気を導く第２の配管と、
前記第２の配管に設置された第２の弁と、
前記ＢＦＰタービン内に空気を導く第３の配管と、
前記第３の配管に設置された第３の弁と、
を備えるＢＦＰシステムから前記ＢＦＰタービンをアイソレートする方法であって、
前記第１の弁を閉止し、前記第３の弁を微開して前記ＢＦＰタービン内の真空度を少し低下させた後、前記第３の弁を閉止する工程と、
前記第３の弁を閉止した後、前記ＢＦＰタービン内の真空度が変化しない場合に、前記第３の弁を開放して前記ＢＦＰタービン内の真空を破壊する工程と、
前記ＢＦＰタービン内の真空を破壊した後、前記第２の弁を閉止する工程と、
を含むことを特徴とする方法。
【発明の詳細な説明】
【技術分野】
【０００１】
本発明は、メンテナンス、点検、トラブル等のためにボイラ給水ポンプ設備からＢＦＰタービンを遮断するＢＦＰタービンのアイソレート方法に関する。
【背景技術】
【０００２】
メンテナンス、点検、トラブル等のため、ボイラ給水ポンプ設備からボイラ給水ポンプ（以下「ＢＦＰ」と称する。）やそれを駆動するＢＦＰタービンをアイソレートする場合、従来、ＢＦＰタービン内部の真空破壊が行われている（例えば、特許文献１などを参照）。
【先行技術文献】
【特許文献】
【０００３】
【特許文献１】特開２００７−１００５９７号公報
【発明の概要】
【発明が解決しようとする課題】
【０００４】
上記ＢＦＰタービン内部の真空破壊は、ＢＦＰタービンを回転させるのに使用された蒸気を復水器に導く排気管に設けられたＢＦＰタービン排気塞止弁を閉止した後、ＢＦＰタービンのグランドシール部にグランドシール蒸気を供給させる配管に設けられたＢＦＰタービングランドシール蒸気供給弁を閉止することにより、ＢＦＰタービン内部へ空気を強制的に吸引させて行っているが、ＢＦＰタービン排気塞止弁がシートリークした場合、復水器へ空気が流入して真空が低下し、最悪ユニットトリップに至るという問題がある。また、ＢＦＰタービンの真空破壊によりＢＦＰタービンのグランド部から空気が吸い込まれるため、異物混入等により運転時の振動発生原因となる恐れがある。
【０００５】
本発明は、上記課題に鑑みてなされたものであり、ＢＦＰタービン内部の真空破壊による、復水器真空低下の発生及びＢＦＰタービングランド部への異物混入を防止しつつ、ＢＦＰ設備からＢＦＰタービンをアイソレートすることができる方法を提供することを目的とする。
【課題を解決するための手段】
【０００６】
上記課題を解決するために、本発明に係る方法は、ＢＦＰタービンと、復水器と、前記ＢＦＰタービンを回転させるのに使用された蒸気を、前記ＢＦＰタービンから前記復水器に導く第１の配管と、前記第１の配管に設置された第１の弁と、前記ＢＦＰタービンのグランドシール部にグランドシール蒸気を導く第２の配管と、前記第２の配管に設置された第２の弁と、前記ＢＦＰタービン内に空気を導く第３の配管と、前記第３の配管に設置された第３の弁と、を備えるＢＦＰシステムから前記ＢＦＰタービンをアイソレートする方法であって、前記第１の弁を閉止し、前記第３の弁を微開して前記ＢＦＰタービン内の真空度を少し低下させた後、前記第３の弁を閉止する工程と、前記第３の弁を閉止した後、前記ＢＦＰタービン内の真空度が変化しない場合に、前記第３の弁を開放して前記ＢＦＰタービン内の真空を破壊する工程と、前記ＢＦＰタービン内の真空を破壊した後、前記第２の弁を閉止する工程と、を含む。
【発明の効果】
【０００７】
本発明によれば、ＢＦＰタービン内部の真空破壊による、復水器真空低下の発生及びＢＦＰタービングランド部への異物混入を防止しつつ、ＢＦＰ設備からＢＦＰタービンをアイソレートすることができる方法を提供することができる。
【図面の簡単な説明】
【０００８】
【図１】本発明の一実施形態において、ＢＦＰシステムからＢＦＰタービンをアイソレートする前のＢＦＰシステムにおける各弁の開閉状態を示す図である。
【図２】本発明の一実施形態において、ＢＦＰシステムからＢＦＰタービンをアイソレートした際のＢＦＰシステムにおける各弁の開閉状態を示す図である。
【発明を実施するための形態】
【０００９】
以下、本発明の好ましい実施形態につき、添付図面を参照して詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び図面等は、本発明の好ましい実施態様を示すものであり、例示又は説明のために示されているのであって、本発明をそれらに限定するものではない。本明細書で開示されている本発明の意図ならびに範囲内で、本明細書の記載に基づき、様々に修飾ができることは、当業者にとって明らかである。
【００１０】
図１は、本発明の一実施形態として説明する、ＢＦＰシステムからＢＦＰタービンをアイソレートする前のＢＦＰシステムにおける各弁の開閉状態を示す図である。図２は、本発明の一実施形態として説明する、ＢＦＰシステムからＢＦＰタービンをアイソレートした際のＢＦＰシステムにおける各弁の開閉状態を示す図である。図１及び図２に示すように、ＢＦＰシステム１００は、ＢＦＰ（ボイラ給水ポンプ）１０、ＢＦＰタービン１１、復水器２１〜２３、複数の弁３１〜４５などを備える。
【００１１】
ＢＦＰ１０にはＢＦＰタービン１１が接続されており、ＢＦＰタービン高圧蒸気止弁３１及び高圧主塞止弁を備える配管５１から供給される高圧抽気、又は、ＢＦＰタービン低圧蒸気止弁３２及び低圧主塞止弁を備える配管５２から供給される低圧抽気によってＢＦＰタービン１１が回転され、ＢＦＰ１０を駆動する。ＢＦＰタービン１１を回転させるのに使用された抽気（蒸気）は、ＢＦＰタービン１１の最終段排気室と復水器２１を接続する、ＢＦＰタービン排気塞止弁４２を備える配管（排気管）５３によって復水器２１に導かれ、冷却される。なお、配管５３には、ＢＦＰタービン排気塞止弁４２の上流に、ＢＦＰタービン排気塞止弁バイパス弁４３を備える配管５４が接続され、配管５４を介して復水器２２が接続されている。
【００１２】
ＢＦＰタービン１１の第１段後には、ＢＦＰタービン第１段後ドレン弁３５を備えるドレン配管５５を介して低圧マニホールドが接続されており、ＢＦＰタービン１１の減圧が行われる。また、ＢＦＰタービン１１の第６段後ケーシングには、ＢＦＰタービン第６段後ケーシングドレン弁４０を備えるドレン配管５６を介して復水器２３が接続されており、ＢＦＰタービン１１の減圧が行われる。なお、配管５６には、ＢＦＰタービン第６段後ケーシングドレン弁４０の上流に、ＢＦＰタービン１１内に空気を導くための、ＢＦＰタービン第６段後ケーシングドレン系外ブロー弁（空気吸入弁）４１を備える配管５７が接続されている。
【００１３】
ＢＦＰタービン１１のグランド部１２には、グランド蒸気発生器から供給されたグランドシール蒸気を導くための、ＢＦＰタービングランド蒸気供給弁４４を備える配管（グランドシール蒸気供給管）５８が接続されている。このように、グランドシール蒸気をＢＦＰタービンのグランド部１２に供給することにより、ＢＦＰタービン１１のグランド部１２から空気の流入を防止している。なお、配管５８の延長上には、高圧主塞止弁及び低圧主塞止弁に接続する分岐管５９が設けられており、また、高圧主塞止弁にはＢＦＰタービン高圧蒸気止弁下部ドレントラップバイパス弁３４を備えるドレン配管６０が、低圧主塞止弁には、ＢＦＰタービン低圧蒸気止弁上部ドレントラップバイパス弁３３を備えるドレン配管６１、及び、ＢＦＰタービン低圧蒸気止弁下部ドレントラップバイパス弁３８を備えるドレン配管６２が、それぞれ接続されており、グランド蒸気発生器から供給されたグランドシール蒸気が、高圧マニホールド、中圧マニホールド、低圧マニホールなどに導かれるように構成されている。
【００１４】
本実施の形態においては、配管６０，６１，６２には、弁３４，３３，３８を迂回する形で、ＢＦＰタービン高圧蒸気止弁下部ドレントラップ前弁３６を備えるドレン配管６３、ＢＦＰタービン低圧蒸気止弁上部ドレントラップ前弁３９を備えるドレン配管６４、ＢＦＰタービン低圧蒸気止弁下部ドレントラップ前弁３７を備えるドレン配管６５がそれぞれ設けられている。  
また、ＢＦＰタービン１１のグランド部１２には、グランド部１２から排出されるグランドシール蒸気をグランド蒸気コンデンサに導くための、ＢＦＰタービングランド蒸気排気弁４５を備える配管６６が接続されている。
【００１５】
なお、本実施の形態においては、復水器２１，２２は、別々に設けることとしているが、これらの復水器２１，２２は、同一の装置であってもよい。また、復水器２３は、復水器２１及び／又は復水器２２と同一の装置であってもよいし、復水器２１，２２とは別の装置であってもよい。さらに、ＢＦＰシステム１００に、弁３１〜４５の一部又は全部の開閉を制御する制御装置を設けて、弁の開閉を自動で制御することとしてもよい。
【００１６】
以下、ＢＦＰシステム１００からＢＦＰタービン１１をアイソレートする方法について説明する。  
ＢＦＰシステム１００の定常停止時には、図１に示すように、ＢＦＰシステム１００における弁３１〜３７，３９，４０，４２，４４，４５は開放されており、弁３８，４１，４３は閉止されている。メンテナンス、点検、トラブル等のため、ＢＦＰシステム１００からＢＦＰタービン１１をアイソレートする場合、ＢＦＰタービン高圧蒸気止弁３１、ＢＦＰタービン低圧蒸気止弁３２、ＢＦＰタービン低圧蒸気止弁上部ドレントラップバイパス弁３３、ＢＦＰタービン高圧蒸気止弁下部ドレントラップバイパス弁３４、ＢＦＰタービン第１段後ドレン弁３５、ＢＦＰタービン高圧蒸気止弁下部ドレントラップ前弁３６、ＢＦＰタービン低圧蒸気止弁下部ドレントラップ前弁３７の順で弁を閉止した後、ＢＦＰタービン低圧蒸気止弁下部ドレントラップバイパス弁３８の閉止を確認する。
【００１７】
次に、ＢＦＰタービン低圧蒸気止弁上部ドレントラップ前弁３９、ＢＦＰタービン第６段後ケーシングドレン弁４０の順で弁を閉止し、ＢＦＰタービン第６段後ケーシングドレン系外ブロー弁４１の閉止を確認する。続いて、ＢＦＰタービン排気塞止弁４２を閉止し、ＢＦＰタービン排気塞止弁バイパス弁４３の閉止を確認する。その後、ＢＦＰタービン第６段後ケーシングドレン系外ブロー弁４１を微開してＢＦＰタービン１１内の真空度を少し低下（昇圧）させてから、ＢＦＰタービン第６段後ケーシングドレン系外ブロー弁４１を閉止する。
【００１８】
ＢＦＰタービン第６段後ケーシングドレン系外ブロー弁４１を閉止した後、圧力計ＰＩにより、ＢＦＰタービン１１内の真空度（圧力）が変化しないかどうかを確認し、真空度が変化しない場合には、ＢＦＰタービン第６段後ケーシングドレン系外ブロー弁４１を開放してＢＦＰタービン１１の内部の真空を破壊する。このように、ＢＦＰタービン排気塞止弁４２を閉止し、ＢＦＰタービン第６段後ケーシングドレン系外ブロー弁４１を微開してＢＦＰタービン１１内の真空度を少し低下させてから、ＢＦＰタービン第６段後ケーシングドレン系外ブロー弁４１を閉止し、その後、ＢＦＰタービン１１の内部の真空度（圧力）が変化しない場合に、ＢＦＰタービン第６段後ケーシングドレン系外ブロー弁４１を開放してＢＦＰタービン１１の内部の真空を破壊することにより、ＢＦＰタービン排気塞止弁４２のシートリークによる、真空破壊時の復水器２１の真空低下の発生を防止することが可能となる。
【００１９】
ＢＦＰタービン１１の内部の真空が破壊されたこと（真空値が０KPaであること）を確認した後、ＢＦＰタービングランド蒸気供給弁４４を徐々に閉止してから、ＢＦＰタービングランド蒸気排気弁４５を閉止する。このように、ＢＦＰタービン１１の内部の真空を破壊した後、ＢＦＰタービングランド蒸気供給弁４４を閉止することにより、ＢＦＰタービン１１のグランド部１２に空気が吸込まれなくなるため、ＢＦＰタービン１１のグランド部１２への異物混入を防止することが可能となる。
【００２０】
なお、本実施の形態において、ＢＦＰシステム１００に、各種弁３１〜４５の開閉を自動制御する制御装置を設けて、上述のように、各種弁３１〜４５の開閉を順番に制御させてもよい。また、ＢＦＰタービン第６段後ケーシングドレン系外ブロー弁４１を微開してＢＦＰタービン１１内の真空度を少し低下させてから、ＢＦＰタービン第６段後ケーシングドレン系外ブロー弁４１を閉止した後に、制御装置は、圧力計ＰＩから圧力データを経時的に受信してＢＦＰタービン１１の内部の真空度に変化がないかどうかを判断し、真空度に変化がない場合に、ＢＦＰタービン第６段後ケーシングドレン系外ブロー弁４１を開放するように制御してもよい。さらに、ＢＦＰタービン第６段後ケーシングドレン系外ブロー弁４１を開放した後に、制御装置が、圧力計ＰＩから受信した圧力データによってＢＦＰタービン１１の内部の真空が破壊されたと判断した場合に、ＢＦＰタービングランド蒸気供給弁４４を徐々に閉止するように制御してもよい。このように、ＢＦＰシステム１００に制御装置を設けて、全ての弁３１〜４５の開閉を制御することにより、ＢＦＰシステム１００からＢＦＰタービン１１のアイソレートを制御装置によって自動で行うことができるようになる。
【符号の説明】
【００２１】
１０  ＢＦＰ
１１  ＢＦＰタービン
２１，２２，２３  復水器
３１  ＢＦＰタービン高圧蒸気止弁
３２  ＢＦＰタービン低圧蒸気止弁
３３  ＢＦＰタービン低圧蒸気止弁上部ドレントラップバイパス弁
３４  ＢＦＰタービン高圧蒸気止弁下部ドレントラップバイパス弁
３５  ＢＦＰタービン第１段後ドレン弁
３６  ＢＦＰタービン高圧蒸気止弁下部ドレントラップ前弁
３７  ＢＦＰタービン低圧蒸気止弁下部ドレントラップ前弁
３８  ＢＦＰタービン低圧蒸気止弁下部ドレントラップバイパス弁
３９  ＢＦＰタービン低圧蒸気止弁上部ドレントラップ前弁
４０  ＢＦＰタービン第６段後ケーシングドレン弁
４１  ＢＦＰタービン第６段後ケーシングドレン系外ブロー弁
４２  ＢＦＰタービン排気塞止弁
４３  ＢＦＰタービン排気塞止弁バイパス弁
４４  ＢＦＰタービングランド蒸気供給弁
４５  ＢＦＰタービングランド蒸気排気弁
１００  ＢＦＰシステム
【要約】
【課題】ＢＦＰタービン内部の真空破壊による、復水器真空低下の発生及びＢＦＰタービングランド部への異物混入を防止しつつ、ＢＦＰ設備からＢＦＰタービンをアイソレートすることができる方法を提供すること。
【解決手段】ＢＦＰタービンと、復水器と、ＢＦＰタービンを回転させるのに使用された蒸気をＢＦＰタービンから復水器に導く、第１の弁を備える第１の配管と、ＢＦＰタービンのグランドシール部にグランドシール蒸気を導く、第２の弁を備える第２の配管と、ＢＦＰタービン内に空気を導く、第３の弁を備える第３の配管と、を備えるＢＦＰシステムにおいて、第１の弁を閉止した後、第３の弁を微開してＢＦＰタービン内の真空度を少し低下させ、次に、第３の弁を閉止した後、ＢＦＰタービン内の真空度が変化しない場合に、第３の弁を開放してＢＦＰタービン内の真空を破壊し、続いて、ＢＦＰタービン内の真空を破壊した後、第２の弁を閉止する。
【選択図】図２【図１】
0005450850.tif 000002
【図２】
0005450850.tif 000003